(57)【要約】      （修正有）【課題】親世帯と子世帯とが互いに束縛されることなく自由に生活でき、かつ親世帯の緊急事態を確実に子世帯に伝達できる二世帯住宅を提供する。【解決手段】二世帯住宅は、同一敷地内に、互いに分離独立して親世帯建物１と子世帯建物２とを設けており、親世帯建物の浴室３は子世帯建物との対向面に配置され、これらの対向面には窓ガラス４、５が設けられ、これらの窓ガラスは、子世帯建物の窓ガラスを介して、浴室３の入浴者の人影を観察できる形状と透光性を有し、子世帯建物の住民が親世帯建物の入浴者の緊急事態を目視で観察できる。また、親世帯建物に、浴室の使用状態を検出する使用検出センサ６を設け、子世帯建物には、浴室の使用状態を表示する表示器７を設ける。さらに浴室に、入浴者が所定の時間移動しない状態を検出する異常センサ８を設け、子世帯建物の表示器に非移動状態を表示するとともに、異常センサで検出される異常信号を伝送回路９が特定の携帯電話１０に、無線伝送する。【選択図】図１
0003186726.tif 000002
【実用新案登録請求の範囲】
【請求項１】
同一敷地内に、互いに分離独立して親世帯建物(1)と子世帯建物(2)とが設けられ、
前記親世帯建物(1)の浴室(3)は子世帯建物(2)との対向面に配置され、
かつ、前記親世帯建物(1)の前記浴室(3)と前記子世帯建物(2)の対向面には窓ガラス(4)、(5)が設けられており、
さらに、前記親世帯建物(1)の浴室(3)の窓ガラス(4)、(5)と子世帯建物(2)の窓ガラス(4)、(5)は、前記子世帯建物(2)の窓ガラス(4)、(5)を介して、前記浴室(3)の入浴者の人影を観察できる形状と透光性を有し、
前記子世帯建物(2)の住民が前記窓ガラス(4)、(5)を介して前記親世帯建物(1)の入浴者の状態を観察できるようにしてなる二世帯住宅。
【請求項２】
前記親世帯建物(1)の窓ガラス(4)、(5)を、子世帯建物(2)の住民の人影を観察できない透光性としてなる請求項１に記載される二世帯住宅。
【請求項３】
前記親世帯建物(1)に、前記浴室(3)の使用状態を検出して、使用状態においては使用信号を出力する使用検出センサ(6)を設けており、
前記子世帯建物(2)は、前記使用検出センサ(6)の使用信号で、浴室(3)の使用状態を表示する表示器(7)を備え、
前記親世帯建物(1)の使用状態が前記子世帯建物(2)の表示器(7)に表示されるようにしてなる二世帯住宅。
【請求項４】
前記使用検出センサ(6)が前記浴室(3)のライトを点灯する点灯スイッチで、前記表示器(7)が前記子世帯建物(2)に設けているパイロットランプ、又は入浴を知らせる音や音声を発生する音発生器の何れか又は両方である請求項３に記載される二世帯住宅。
【請求項５】
前記親世帯建物(1)の浴室(3)に、入浴者が入室する状態で入浴者が所定の時間移動しない非移動状態を検出する異常センサ(8)を設けており、前記子世帯建物(2)には異常センサ(8)で検出される非移動状態を表示する表示器(7)を設けてなる請求項１ないし４のいずれかに記載される二世帯住宅。
【請求項６】
前記親世帯建物(1)の浴室(3)に、前記異常センサ(8)で検出される異常信号を特定の携帯電話(10)に無線伝送する伝送回路(9)を設けており、
前記親世帯建物(1)の入浴者が動かなくなって異常な状態になると前記伝送回路(9)が特定の携帯電話(10)に、入浴者の異常な状態を無線伝送するようにしてなる請求項１ないし５のいずれかに記載される二世帯住宅。
【請求項７】
前記伝送回路(9)が、浴室(3)入浴者に操作されて異常信号を出力する異常スイッチ(11)と、この異常スイッチ(11)から出力される異常信号で特定の携帯電話(10)に異常信号を無線伝送する伝送回路(9)とを備え、
前記異常スイッチ(11)が浴室(3)入浴者に操作されて異常信号を出力すると、この異常信号が前記伝送回路(9)から特定の携帯電話(10)に無線伝送されるようにしてなる請求項６に記載される二世帯住宅。
【考案の詳細な説明】
【技術分野】
【０００１】
本考案は、ひとつの敷地に親世帯と子世帯の二世帯が住むことができる二世帯住宅に関し、とくに、親世帯と子世帯とが分離した建物に住む二世帯住宅に関する。
【背景技術】
【０００２】
ひとつの建物に二世帯が住む二世帯住宅は開発されている。（特許文献１、２参照）
特許文献１の二世帯住宅は、建物を東に開いたコの字型に配置して、コの字の内側に中庭を設け、中庭を挟んで北側に二世帯が共有して使用するリビング・ダイニングルームを設けている。さらに、この二世帯住宅は、親世帯の部屋の静寂性を確保するために、南側の東端には親世帯の寝室を配置して、親世帯の寝室のみを平屋建てとして、その他の部分を二階建てとし、二階に夫婦の寝室と子供部屋を配置している。この二世帯住宅は、ひとつの建物に、親世帯と子世帯の部屋を設けて、リビング・ダイニングルームで連結する構造として、親世帯の寝室の静寂性を確保している。
【０００３】
また、特許文献２の二世帯住宅は、間隔を置いて並行して配置された２つの住居棟を、通路で連結して、２つの住居棟と通路とで囲まれた中庭を設けている。２つの住居棟は、親世帯と子世帯の居住空間として使用される。２つの住居棟にはそれぞれリビングルームを配置して、リビングルーム同士を中庭を挟んで向かい合うようにしている。この二世帯住宅は、親世帯と子世帯のリビングルームを、庭を介して向かい合った配置とするので、生活の共有感があり、また、中庭によって太陽光を多く取り入れることができる。
【０００４】
以上の二世帯住宅は、ひとつの建物に親世帯と子世帯とが一緒に居住するので、お互いにプライバシーが確保されず、両世帯が互いに自由に束縛されることなく生活できない欠点がある。この弊害は、親世帯と子世帯とを別棟に独立する建物として解消できる。ただ、親世帯と子世帯とを別棟の建物とすると、親世帯の緊急事態を子世帯に確実に知らせるのが難しくなる欠点がある。このような欠点を解消するために、二世帯住宅用の電話システムが開発されている。（特許文献３参照）
【０００５】
この電話システムは、各世帯において独立した電話システム間を双方向に信号伝送可能に接続するアダプタを具えている。アダプタは、一方の世帯から他方の世帯に、セキュリティ信号または他世帯呼出し信号を伝送するように、各世帯側の信号入出力端に設けた１対の送受方向切換手段と、一方の前記送受方向切換手段からの信号をセキュリティ信号または他世帯呼出し信号に分離し、セキュリティ信号は他方の送受方向切換手段に出力する１対の信号分離手段と、該信号分離手段からの他世帯呼出し信号を一斉呼出し信号に変換して他方の前記送受方向切換手段に出力する１対の信号変換手段とを具えている。
【先行技術文献】
【特許文献】
【０００６】
【特許文献１】特開２００２−１３８６８３号公報
【特許文献２】特開平１１−１３１８２９号公報
【特許文献３】特開平５−７５７２８号公報
【考案の概要】
【考案が解決しようとする課題】
【０００７】
親世帯と子世帯とを別棟の建物とし、親世帯と子世帯とを電話システムで通信できるようにして、親世帯から子世帯に、またはその反対に緊急事態を伝えることができる。ただ、この方式は、電話システムの故障時に緊急事態を伝えることができない欠点がある。また親世帯の緊急事態は、必ずしも電話システムを操作できる状態とは限らない。たとえば、心筋梗塞や脳卒中などでは電話システムの操作ができず、緊急事態を伝えることができなくなる。このように緊急事態は、一刻も早く緊急事態を伝える必要があるので、この状態を子世帯に伝えることができないと、深刻な状態となる弊害がある。
【０００８】
本考案は、さらに以上の欠点を解決することを目的に開発されたものである。本考案の重要な目的は、親世帯と子世帯とが互いに束縛されることなく自由に生活できるにも関わらず、親世帯の緊急時には、このことを確実に子世帯に伝達できる二世帯住宅を提供することにある。
【課題を解決するための手段及び効果】
【０００９】
本考案の二世帯住宅は、同一敷地内に、互いに分離独立して親世帯建物１と子世帯建物２とを設けている。親世帯建物１は浴室３を子世帯建物２との対向面に配置して、親世帯建物１の浴室３と子世帯建物２の対向面には窓ガラス４、５を設けている。さらに親世帯建物１の浴室３の窓ガラス４と子世帯建物２の窓ガラス５は、子世帯建物２の窓ガラス５を介して、浴室３の入浴者の人影を観察できる形状と透光性を有する。子世帯建物２の住民は、窓ガラス４、５を介して親世帯建物１の入浴者の状態を観察できるようにしている。
【００１０】
以上の二世帯住宅は、親世帯と子世帯が、互いに束縛されることなく自由に生活できると共に、親世帯の緊急事態を子世帯に確実に伝えることができる特徴がある。親世帯と子世帯とが自由に束縛されることなく生活できるのは、同じ敷地内に、親世帯建物と子世帯建物とを別棟として離して配置するからである。この配置は、両世帯が自由に生活できる特徴はあるが、親世帯の緊急事態を確実に子世帯に伝えることができない。とくに、親世帯の緊急事態は、そのほとんどが浴室で発生するが、浴室には電話器を設置することが難しく、また、仮に電話機を設置できても心筋梗塞や脳溢血では電話機の操作ができず、緊急事態を子世帯に伝えることができない。親世帯から子世帯に、一刻も早く伝える必要がある緊急事態は心筋梗塞と脳溢血である。その他の緊急事態は、たとえば電話機を操作する等の方法で子世帯に伝えることができるからである。心筋梗塞や脳溢血は、自分で子世帯に伝えることができない緊急事態である。
【００１１】
以上の二世帯住宅は、緊急事態となった親世帯がなにも操作することなく、緊急事態を確実に子世帯に伝えることができる。それは、子世帯の誰かが、窓ガラスを介して親世帯建物の入浴者の状態を常に観察できるからである。子世帯の住民は、窓ガラスを介して親世帯の住民の浴室における状態を観察できる。窓ガラスを介して親世帯の住民の状態を観察できる二世帯住宅は、電話機のように故障する媒体を介することなく、常に親世帯の住民の状態を観察して緊急事態を速やかに、しかも確実に知ることができる。また、以上の二世帯住宅は、親世帯建物の浴室の窓を、子世帯建物の窓に対向して、子世帯が親世帯の緊急事態を知ることができるので、緊急事態を伝えるための構造が簡単で、しかも安価に確実に緊急事態を伝達できる特徴も実現する。さらに、親世帯建物と子世帯建物とを離して別棟として配置するので、親世帯建物と子世帯建物は、その両方に充分に日光や光を取り入れることができる特徴も実現する。
【００１２】
本発明の二世帯住宅は、親世帯建物１の窓ガラス４を、親世帯が子世帯の人影を観察できない透光性とすることができる。この二世帯住宅は、子世帯の住民の人影を親世帯が観察できないので、子世帯は親世帯に監視されることなく、親世帯からプライバシーが守られてより自由に生活できる特徴がある。
【００１３】
本考案の二世帯住宅は、親世帯建物１に、浴室３の使用状態を検出して、使用状態においては使用信号を出力する使用検出センサ６を設け、子世帯建物２には、使用検出センサ６の使用信号で、浴室３の使用状態を表示する表示器７を設け、親世帯建物１の使用状態を子世帯建物２の表示器７に表示するようにすることができる。
【００１４】
以上の二世帯住宅は、親世帯の住民がより確実に親世帯の緊急事態を知ることができる。それは、以上の二世帯住宅が、親世帯建物の浴室の使用状態を使用検出センサで検出して、浴室の使用状態を子世帯建物に表示するので、子世帯の住民は親世帯の誰かが浴室を使用する状態にあることを確認できるからである。
【００１５】
本考案の二世帯住宅は、使用検出センサ６を浴室３のライトを点灯する点灯スイッチとし、表示器７を子世帯建物２に設けているパイロットランプ、又は入浴を知らせる音や音声を発生する音発生器の何れか又は両方とすることができる。この二世帯住宅は、子世帯の住民がパイロットランプが点灯されることを見て、親世帯の住民が浴室を使用していることを確認できるので、簡単な構造で親世帯の誰かが浴室を使用していることを確認できる。
【００１６】
本考案の二世帯住宅は、親世帯建物１の浴室３に、入浴者が入室する状態で入浴者が所定の時間移動しない非移動状態を検出する異常センサ８を設け、子世帯建物２には異常センサ８で検出される非移動状態を表示する表示器７を設けることができる。この二世帯住宅は、より確実に親世帯の緊急事態を子世帯に伝えることができる特徴がある。それは、親世帯の入浴者が入浴して、心筋梗塞や脳溢血で動かない緊急事態になると、このことが子世帯に伝えられるからである。
【００１７】
本考案の二世帯住宅は、親世帯建物１の浴室３に、異常センサ８で検出される異常信号を特定の携帯電話１０に無線伝送する伝送回路９を設け、親世帯建物１の入浴者が動かなくなって異常な状態になると伝送回路９が特定の携帯電話１０に、入浴者の異常な状態を無線伝送するようにすることができる。この二世帯住宅は、子世帯の住民が、窓ガラスを介して親世帯建物の浴室を監視して緊急事態を目視して観察し、さらに、この状態に加えて、親世帯が浴室で動かなくなった緊急事態を携帯電話でも知ることができる特徴がある。
【００１８】
本考案の二世帯住宅は、親世帯の異常な状態を特定の携帯電話１０に伝送する伝送回路９に、浴室３入浴者に操作されて異常信号を出力する異常スイッチ１１と、この異常スイッチ１１から出力される異常信号で特定の携帯電話１０に異常信号を無線伝送する伝送回路９とを設け、異常スイッチ１１が浴室３入浴者に操作されて異常信号を出力すると、この異常信号を伝送回路９から特定の携帯電話１０に無線伝送する構造とすることができる。
【００１９】
以上の二世帯住宅は、親世帯の誰かが緊急事態になると、異常スイッチを押す簡単な操作で、緊急事態を特定の携帯電話に伝送するので、緊急事態を携帯電話を持つ者にも確実に伝えることができる。
【図面の簡単な説明】
【００２０】
【図１】本考案の実施例にかかる二世帯住宅の概略平面図である。
【考案を実施するための形態】
【００２１】
以下、本考案の実施例を図面に基づいて説明する。ただし、以下に示す実施例は、本考案の技術思想を具体化するための二世帯住宅を例示するものであって、本考案は二世帯住宅を以下のものに特定しない。
【００２２】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００２３】
図１に示す二世帯住宅は、同一敷地内に、互いに分離独立して親世帯建物１と子世帯建物２とを設けている。親世帯建物１と子世帯建物２は、その間に庭などのスペース１２を設けて、親世帯建物１と子世帯建物２とを離して配置している。親世帯建物１と子世帯建物２の間隔は、例えば３ｍ以上であって２０ｍ以下、好ましくは５ｍ以上であって１０ｍ以下とする。親世帯建物１と子世帯建物２の間隔が狭く互いに接近し過ぎると、親世帯と子世帯との間でプライバシーが保ち難く、反対に遠すぎると子世帯が親世帯の入浴を正確に目視して観察するのが難しくなる。したがって、親世帯建物１と子世帯建物２との間隔は、敷地面積や形状と、プライバシーの確保と、明確に目視して観察できる程度とを考慮して最適な距離に設定される。
【００２４】
親世帯建物１は、子世帯建物２との対向面に浴室３を配置している。子世帯が親世帯の入浴状態を観察するためである。さらにこのことを実現するために、親世帯建物１の浴室３と子世帯建物２は、互いに対向する面に窓ガラス４、５を配置している。親世帯建物１の窓ガラス４と子世帯建物２の窓ガラス５は、子世帯建物２の窓ガラス５を介して、浴室３の入浴者の人影を観察できる形状と透光性としている。親世帯建物１の浴室３の窓ガラス４は、浴室３における入浴者の姿勢を人影として目視できる大きさと透光性としている。浴室３の窓ガラス４は、入浴者の全ての位置における全ての姿勢を目視できる大きさと透光性として、入浴者を最も良く監視できるが、必ずしも全ての位置における全ての姿勢を目視できる大きさや透光性とする必要はない。たとえば、窓ガラス４で入浴者の人影を、複数カ所で部分的に確認して、入浴者の状態を確認できるからである。たとえば、入浴者が緊急事態となって動かなくなると、部分的に確認する場所で人影が確認できず、また人影が動かなくなるからである。
【００２５】
二世帯住宅は、対向して配置する窓ガラス４、５から、子世帯は親世帯の入浴状態を確認し、親世帯は子世帯の生活状態を確認できる構造として、親世帯と子世帯とが互いに生活状態を確認できる。ただ、二世帯住宅は、子世帯が親世帯の入浴状態を確認する必要はあるが、必ずしも、親世帯が子世帯の状態を確認する必要はない。この二世帯住宅は、たとえば、親世帯建物１の浴室３の窓ガラス４を磨りガラスとし、子世帯の窓ガラス５を透明ガラスとして、子世帯は親世帯の入浴状態を人影として確認できるが、親世帯は子世帯の生活を確認できない構造とすることができる。
【００２６】
図の二世帯住宅は、親世帯建物１に、浴室３の使用状態を検出して、浴室３の使用状態においては使用信号を出力する使用検出センサ６を設けており、子世帯建物２には、使用検出センサ６の使用信号で、浴室３の使用状態を表示する表示器７を設けている。使用検出センサ６は、浴室３のライトを点灯する点灯スイッチである。この使用検出センサ６は、浴室３を使用するときに、親世帯が浴室３のライトを点灯すると使用信号を出力する。使用検出センサ６の使用信号を有線で表示器に伝送し、あるいは無線で伝送する。
【００２７】
子世帯建物２の表示器７は、子世帯建物２に設けている電灯などのパイロットランプ、あるいは入浴を知らせる音や音声を発生する音発生器である。この二世帯住宅は、子世帯がパイロットランプの電球が点灯するときに、あるいは音発生器の音や音声を聞いて親世帯が入浴したことを知って、浴室３の窓ガラス４、５で入浴者の人影を目視して、親世帯の緊急事態かどうかを確認する。この二世帯住宅は、親世帯の入浴状態に気をつける必要がなく、入浴したときには忘れず親世帯の状態を確認できる。
【００２８】
さらに、図１の二世帯住宅は、親世帯建物１の浴室３に、入浴者が入室する状態で入浴者が所定の時間移動しない非移動状態を検出する異常センサ８を設けて、子世帯建物２には異常センサ８で検出される非移動状態を表示する表示器７を設けている。この二世帯住宅は、入浴者が緊急事態となって動かなくなると、異常センサ８が入浴者の緊急事態を検出して、子世帯建物２の表示器に知らせる。表示器は警報音や電球のパイロットランプなどを点滅して、異常センサ８が検出する緊急事態を子世帯に知らせる。この二世帯住宅も、異常センサ８が非移動状態を検出すると、有線や無線でその入浴者の動状態を表示器に伝送して、表示器にそのことを表示する。
【００２９】
さらに、図１の二世帯住宅は、入浴者が所定の時間移動しなくなる非移動状態を異常センサ８が検出すると、この異常信号を携帯電話１０に無線伝送する伝送回路９を設けている。伝送回路９は、異常センサ８から異常信号が入力されると、あらかじめ記憶している電話番号、たとえば子世帯が携帯している携帯電話１０の電話番号に電話して、入浴者が浴室３で動かなくなった緊急事態を知らせる。この伝送回路９は、異常信号を伝送する携帯電話１０の電話番号を記憶しており、異常センサ８から異常信号が入力されると、記憶する電話番号の携帯電話１０に異常信号を伝送する。
【００３０】
さらに、図１の二世帯住宅は、浴室３入浴者に操作されて異常信号を出力する異常スイッチ１１を伝送回路９に接続している。伝送回路９は、異常スイッチ１１から異常信号が入力されると、あらかじめ記憶している特定の携帯電話１０に異常信号を伝送する。この二世帯住宅は、入浴者が緊急事態になって押しボタンスイッチ等の異常スイッチ１１を操作できる状態になると、異常スイッチ１１を操作して、異常信号を伝送回路９に入力する。伝送回路９は、異常信号が入力されると、あらかじめ記憶している電話番号の携帯電話１０に異常信号を無線伝送して知らせる。
【００３１】
異常スイッチ１１の信号は、有線や無線で子世帯の表示器に異常信号を伝送することもできる。この二世帯住宅は、異常スイッチ１１が操作されると、子世帯の表示器に緊急事態が表示されて、親世帯が緊急事態となったことを知らせることができる。
【産業上の利用可能性】
【００３２】
本考案の二世帯住宅は、親世帯と子世帯とがプライバシーを確保しながら自由に生活し、しかも親世帯の緊急事態を子世帯が目視して確実に観察することが、親世帯と子世帯の両方が安心して生活することができる。
【符号の説明】
【００３３】
１…親世帯建物
２…子世帯建物
３…浴室
４…窓ガラス（親世帯建物）
５…窓ガラス（子世帯建物）
６…使用検出センサ
７…表示器
８…異常センサ
９…伝送回路
１０…携帯電話
１１…異常スイッチ
１２…スペース
【図１】
0003186726.tif 000003
【手続補正書】
【提出日】平成25年8月10日(2013.8.10)
【手続補正１】
【補正対象書類名】実用新案登録請求の範囲
【補正対象項目名】全文
【補正方法】変更
【補正の内容】
【実用新案登録請求の範囲】
【請求項１】
同一敷地内に、互いに分離独立して親世帯建物(1)と子世帯建物(2)とが設けられ、
前記親世帯建物(1)の浴室(3)は子世帯建物(2)との対向面に配置され、
かつ、前記親世帯建物(1)の前記浴室(3)と前記子世帯建物(2)の対向面には窓ガラス(4)、(5)が設けられており、
さらに、前記親世帯建物(1)の浴室(3)の窓ガラス(4)、(5)と子世帯建物(2)の窓ガラス(4)、(5)は、前記子世帯建物(2)の窓ガラス(4)、(5)を介して、前記浴室(3)の入浴者の人影を観察できる形状と透光性を有し、
前記子世帯建物(2)の住民が前記窓ガラス(4)、(5)を介して前記親世帯建物(1)の入浴者の状態を観察できるようにしてなる二世帯住宅。
【請求項２】
前記親世帯建物(1)の窓ガラス(4)、(5)を、子世帯建物(2)の住民の人影を観察できない透光性としてなる請求項１に記載される二世帯住宅。
【請求項３】
前記親世帯建物(1)に、前記浴室(3)の使用状態を検出して、使用状態においては使用信号を出力する使用検出センサ(6)を設けており、
前記子世帯建物(2)は、前記使用検出センサ(6)の使用信号で、浴室(3)の使用状態を表示する表示器(7)を備え、
前記親世帯建物(1)の使用状態が前記子世帯建物(2)の表示器(7)に表示されるようにしてなる請求項１に記載される二世帯住宅。
【請求項４】
前記使用検出センサ(6)が前記浴室(3)のライトを点灯する点灯スイッチで、前記表示器(7)が前記子世帯建物(2)に設けているパイロットランプ、又は入浴を知らせる音や音声を発生する音発生器の何れか又は両方である請求項３に記載される二世帯住宅。
【請求項５】
前記親世帯建物(1)の浴室(3)に、入浴者が入室する状態で入浴者が所定の時間移動しない非移動状態を検出する異常センサ(8)を設けており、前記子世帯建物(2)には異常センサ(8)で検出される非移動状態を表示する表示器(7)を設けてなる請求項１ないし４のいずれかに記載される二世帯住宅。
【請求項６】
前記親世帯建物(1)の浴室(3)に、前記異常センサ(8)で検出される異常信号を特定の携帯電話(10)に無線伝送する伝送回路(9)を設けており、
前記親世帯建物(1)の入浴者が動かなくなって異常な状態になると前記伝送回路(9)が特定の携帯電話(10)に、入浴者の異常な状態を無線伝送するようにしてなる請求項１ないし５のいずれかに記載される二世帯住宅。
【請求項７】
前記伝送回路(9)が、浴室(3)入浴者に操作されて異常信号を出力する異常スイッチ(11)と、この異常スイッチ(11)から出力される異常信号で特定の携帯電話(10)に異常信号を無線伝送する伝送回路(9)とを備え、
前記異常スイッチ(11)が浴室(3)入浴者に操作されて異常信号を出力すると、この異常信号が前記伝送回路(9)から特定の携帯電話(10)に無線伝送されるようにしてなる請求項６に記載される二世帯住宅。